(57)【要約】【課題】揺動選別体や送風ファンの伝動機構を外側から覆うサイドカバーと、選別装置の左右一側の側壁との隙間から藁屑等の夾雑物が進入して選別風中に混入することを防止する。【解決手段】左右の側壁２５ａ，２５ｂのうち、一側の側壁２５ａの外側に配設した送風ファン２６の伝動機構４２を側方から覆うサイドカバー４５と、該サイドカバー４５と一側の側壁２５ａとの隙間を塞ぐカバー５１を設けた脱穀機１４において、前記カバー５１を、一側の側壁２５ａに固設した剛性板５１ａと該剛性板５１ａの先端に取付けた弾性板５１ｂにより構成すると共に、該弾性板５１ｂとサイドカバー４５とを当接可能に構成した。【選択図】図５
2007330159.tif 000002
【特許請求の範囲】
【請求項１】
扱室（２１）で脱穀した脱穀物を、扱室（２１）下方の左右の側壁（２５ａ，２５ｂ）に支持した揺動選別体（２４）と送風ファン（２６）により選別し、前記左右の側壁（２５ａ，２５ｂ）のうち、一側の側壁（２５ａ）の外側に配設した送風ファン（２６）の伝動機構（４２）を側方から覆うサイドカバー（４５）と、該サイドカバー（４５）と一側の側壁（２５ａ）との隙間を塞ぐカバー（５１）を設けた脱穀機（１４）において、前記カバー（５１）を、一側の側壁（２５ａ）に固設した剛性板（５１ａ）と該剛性板（５１ａ）の先端に取付けた弾性板（５１ｂ）により構成すると共に、該弾性板（５１ｂ）とサイドカバー（４５）とを当接可能に構成したことを特徴とする脱穀機。
【請求項２】
弾性板（５１ｂ）にスリット（Ｓ）を設けてサイドカバー（４５）との密着性を高めた請求項１に記載の脱穀機。
【発明の詳細な説明】
【技術分野】
【０００１】
本発明は、コンバインやハーベスタ等に搭載される脱穀機の送風ファンや揺動選別体等の伝動機構を外側から覆うカバー体に関する。
【背景技術】
【０００２】
従来、コンバインに搭載される脱穀機は、前処理部で刈取った穀稈を受け継いで挟持レールと脱穀フィードチェンに挟持して扱室に搬送し、その搬送途中で穀稈の脱穀処理を行うと共に、扱室の下方には、受網を介して漏下した処理物を選別する揺動選別体や送風ファン（唐箕）を備えた選別装置を設けている。
【０００３】
そして、脱穀フィードチェンの下方には、選別装置の左右一側の側壁より外側において、送風ファン、一番物回収螺旋、二番物回収螺旋、及び揺動選別体等を駆動させるためのベルト伝動機構を配設すると共に、このベルト伝動機構を外側から覆うサイドカバーを設けたものが知られている（例えば、特許文献１参照）。
【特許文献１】特開平９−１８７１５６号公報（第３頁、図３）
【発明の開示】
【発明が解決しようとする課題】
【０００４】
しかし、上述した従来のものでは、選別装置の左右一側の側壁とサイドカバーとの隙間から藁屑等の夾雑物が進入し易く、これらの夾雑物が送風ファンによって起風される選別風中に混入してしまうと選別精度が低下する虞があった。
【課題を解決するための手段】
【０００５】
本発明は、上記課題を解決することを目的としたものであって、扱室で脱穀した脱穀物を、扱室下方の左右の側壁に支持した揺動選別体と送風ファンにより選別し、前記左右の側壁のうち、一側の側壁の外側に配設した送風ファンの伝動機構を側方から覆うサイドカバーと、該サイドカバーと一側の側壁との隙間を塞ぐカバーを設けた脱穀機において、前記カバーを、一側の側壁に固設した剛性板と該剛性板の先端に取付けた弾性板により構成すると共に、該弾性板とサイドカバーとを当接可能に構成したことを第１の特徴としている。
【０００６】
そして、弾性板にスリットを設けてサイドカバーとの密着性を高めたことを第２の特徴としている。
【発明の効果】
【０００７】
本発明によれば、揺動選別体と送風ファンを支持する左右の側壁のうち、一側の側壁の外側に配設した送風ファンの伝動機構を側方から覆うサイドカバーと、該サイドカバーと一側の側壁との隙間を塞ぐカバーを設け、更に前記カバーを、一側の側壁に固設した剛性板と該剛性板の先端に取付けた弾性板により構成すると共に、該弾性板とサイドカバーとを当接可能に構成したことによって、前記一側の側壁とサイドカバーの隙間を確実に塞ぐことができるので、藁屑等の夾雑物がサイドカバー内に進入して選別風中に混入する不具合を防止すると共に、選別精度の低下も起こらない。
【０００８】
そして、弾性板にスリットを設けてサイドカバーとの密着性を高めたことによって、更に確実に前記カバーとサイドカバーの隙間を解消して、一側の側壁とサイドカバーの隙間を塞ぐことができる。
【発明を実施するための最良の形態】
【０００９】
次に、本発明の実施の形態を図面に基づいて説明する。図１は、コンバイン１１の斜視図あって、コンバイン１１は、左右一対のクローラ走行装置１２を機体フレーム１３に支持し、この機体フレーム１３に脱穀機１４、運転操縦部１５、穀粒タンク１６等を搭載すると共に、機体フレーム１３の前端側に前処理部１７を昇降可能に装着している。
【００１０】
また、図２は、機体フレーム１３に搭載される脱穀機１４の側断面図であって、この脱穀機１４は、前処理部１７で刈取った穀稈を受け継いで挟持レール１８と脱穀フィードチェン１９に当該穀稈の株元側を挟持しながら、扱室２１内において回転駆動する扱胴２２で穀稈の穂先部を脱穀すると共に、その下方の受網２３を漏下した処理物（脱穀物）を一番物、二番物、及び藁屑等に選別する揺動選別体２４を、扱室２１下方の後述する左右の側壁２５ａ，２５ｂ間に前後揺動可能に支持している。
【００１１】
そして、揺動選別体２４の下方には、送風ファン２６、一番流板等からなる選別風路２７を形成してあり、前後揺動する揺動選別体２４に向く下方からの選別風Ａによって一番物を風選すると共にストローラック２８上の二番物を風選し、このストローラック２８で選別分離した夾雑物を機外へ放出できるように構成している。
【００１２】
尚、一番樋３１に落下した一番物（穀粒）は、揚穀筒３２を介して穀粒タンク１６に揚上搬送されると共に、二番樋３３に落下した二番物は、この二番樋３３の移送終端に併設した二番還元筒３４を介して揺動選別体２４上に還元されるようになっている。
【００１３】
次に、上述した送風ファン２６について説明する。送風ファン２６は、図３及び図４に示すように、回転軸３６に対して放射状に等間隔の４枚の羽根板３７を固設すると共に、当該回転軸３６の左右両端部を扱室２１下方の左右の側壁２５ａ，２５ｂにホルダ３８を介して軸支している。
【００１４】
そして、送風ファン２６は、半円弧状のファンケース４１に覆われており、上述した左右の側壁２５ａ，２５ｂのうち、一側の側壁２５ａの外側に構成される伝動機構、即ち一番樋３１に備える一番物回収螺旋３１ａ、二番樋３３に備える二番物回収螺旋３３ａ、及び揺動選別体２４を駆動させるベルト伝動機構４２を介して回転駆動すると共に、前記側壁２５ａには、当該送風ファン２６の外気吸風口Ｂが設けられている。
【００１５】
更に、上述したベルト伝動機構４２を覆おうサイドカバー４５が設けてあり、このサイドカバー４５は、内面側上部の前後２箇所に設けた可動式フック４６と、内面側下部の前後２箇所に設けた固定式フック４７とを備え、該固定式フック４７を一側の側壁２５ａに設けた棒状の係止金具４８の下部４８ａに上方から係合させると共に、可動式フック４６を棒状の係止金具４８の上部４８ｂに対して弾性的に付勢係合可能に構成することによって、当該サイドカバー４５の着脱作業が容易に行えるようにしてある。
【００１６】
また、一側の側壁２５ａに設けた送風ファン２６の外気吸風口Ｂの上部には、当該側壁２５ａの外側方向に下がり傾斜のトップカバー５１を固設している。このトップカバー５１は、一側の側壁２５ａに固設した剛性板５１ａと、該剛性板５１ａの先端部下面に断面Ｌ状の当て板５２とビス５３を用いて取付けたゴム製の弾性板５１ｂからなり、当該弾性板５１ｂとサイドカバー４５の当接により両者５１ｂ，４５の隙間を塞ぐことがきるように構成している。即ち、前記トップカバー５１とサイドカバー４５の隙間を確実に塞ぐことによって、一側の側壁２５ａとサイドカバー４５の隙間を確実に塞ぐことができ、藁屑等の夾雑物がサイドカバー４５内に進入して選別風中に混入する不具合を防止すると共に、選別精度の低下も起こらない。
【００１７】
更に詳しくは、弾性板５１ｂには、図４に示すような縦方向のスリットＳが設けてあり、このように縦方向のスリットＳを設けることによって、図５に示すように、形状の異なるサイドカバー４５の上端部Ｅ１，Ｅ２に沿って弾性板５１ｂをスムーズに当接させることができると共に、弾性板５１ｂとサイドカバー４５との密着性を高めて、更に確実に弾性板５１ｂとサイドカバー４５の隙間を解消して、一側の側壁２５ａとサイドカバー４５の隙間を塞ぐことができる。
【００１８】
尚、一側の側壁２５ａに設けた送風ファン２６の外気吸風口Ｂの下部には、この外気吸風口Ｂへの吸気風を機体の下方から藁屑等の混入を抑制しながら導入できるように、前後２箇所に防塵網５５ａ，５５ａを張設した吸気口５５を、図４に示すように、当該側壁２５ａの外側方向に下がり傾斜で設けている。また、サイドカバー４５の前端部分にも一側の側壁２５ａとサイドカバー４５の隙間を閉塞する図示しない剛性板が設けてあり、それによって前方からの夾雑物が送風ファン２６の外気吸風口Ｂに進入することを防いでいる。
【００１９】
また、図６は、前処理部１７の穀稈搬送装置を構成する扱深搬送装置６１、と脱穀フィードチェン１９の受継部近傍を示す平面図であって、前処理部１７のフレームを兼ねる縦伝動軸ケース６２の上端を機体フレーム１３の前部に設けた横伝動軸ケース６３に軸支すると共に、縦伝動軸ケース６２の下面と機体フレーム１３の間に図示しない油圧シリンダを介装し、この油圧シリンダを伸縮作動させることによって横伝動軸ケース６３を回動支点とする前処理部１７の昇降を可能にしている。
【００２０】
そして、前処理部１７には、刈り取り穀稈を分草する複数の分草体６４を分草体支持フレーム６５に一体的に取り付けると共に、分草体６４の後方には、この分草体６４により分草された後の穀稈を引き起す引起装置６６と、該引起装置６６により引き起こされた穀稈の株元を切断する刈刃を備えた図示しない刈取装置と、該刈取装置によって刈り取られる穀稈を掻き込んで搬送する図示しない掻込搬送装置と、該掻込搬送装置の後方で刈取穀稈の稈長を検出して自動的に適正な扱ぎ深さに調節する扱深搬送装置６１等の穀稈搬送装置が設けられており、扱深搬送装置６１の終端部まで搬送された穀稈は、挟持レール１８と脱穀フィードチェン１９によって脱穀部１４に供給されるようになっている。
【００２１】
また、扱深搬送装置６１は、前処理部１７の昇降支点である横伝動軸ケース６３を同軸の上下揺動支点として扱ぎ深さ調節が行なえるようになっている。更に詳しくは、扱深搬送装置６１は、掻込搬送装置から穀稈の株元側を受け継ぐ株元側搬送チェン６７と、穀稈の穂先側を受け継ぐ樹脂製の起伏可能な搬送爪６８を複数取り付けた穂先側搬送チェン６９とを上下平行に備え、横伝動軸ケース６３の一端から図示しない入力ケース内の伝動機構を介して入力される動力によって両搬送チェン６７，６９は駆動するようになっている。
【００２２】
ところで、上述した扱深搬送装置６１が浅扱ぎ側、即ち上方へ揺動した時は、穂先側搬送チェン６９の上方を覆おう上部カバー７１の上端（エッジ）Ｅが、引起装置６６の縦伝動ケース７２の上部７２ａと接近し、特に搬送する穀稈の稈ボリュームが増加すると上部カバー７１が変形して、その上端Ｅが縦伝動ケース７２の上部７２ａと干渉（接当）する虞があることから、縦伝動ケース７２の上部７２ａに丸棒製のガイド７３を取付けることによって、上部カバー７１の上端Ｅが損傷することを防いでいる。
【００２３】
尚、丸棒製のガイド７３の両端は、縦伝動ケース７２の上部７２ａ側、即ち上部カバー７１の上端Ｅとの非干渉側に折り曲げてあり、それによって、当該上部カバー７１の上端Ｅがガイド７３と接当する際の引っ掛かり現象を防止している。
【図面の簡単な説明】
【００２４】
【図１】コンバインの斜視図。
【図２】脱穀機の側断面図。
【図３】脱穀機の一部破断正面図。
【図４】脱穀機の斜視図。
【図５】図４におけるＡ部詳細図。
【図６】扱深搬送装置と脱穀フィードチェンの受継部近傍を示す平面図。
【符号の説明】
【００２５】
１４    脱穀機
２１    扱室
２４    揺動選別体
２５ａ  側壁（左）
２５ｂ  側壁（右）
２６    送風ファン
４２    伝動機構
４５    サイドカバー
５１    カバー（トップカバー）
５１ａ  剛性板
５１ｂ  弾性板
Ｓ      スリット
【図１】
2007330159.tif 000003
【図２】
2007330159.tif 000004
【図３】
2007330159.tif 000005
【図４】
2007330159.tif 000006
【図５】
2007330159.tif 000007
【図６】
2007330159.tif 000008